【事件の表示】
　上記当事者間の登録第４８６４９６７号商標の登録取消審判事件について、次のとおり審決する。
【結　論】
　本件審判の請求は、成り立たない。
　審判費用は、請求人の負担とする。
【理　由】
１　本件商標
　本件登録第４８６４９６７号商標（以下「本件商標」という。）は、「ＩＭＡＧＥ」の欧文字を標準文字で表してなり、平成１６年７月２２日に登録出願、本件審判の請求に係る指定商品、第９類「電気通信機械器具，電子応用機械器具及びその部品」のほか第９類、第１５類及び第２８類の商標登録原簿に記載の商品を指定商品として、同１７年５月２０日に設定登録されたものである。
　　
２　請求人の主張
　請求人は、本件商標の指定商品中「第９類　電気通信機械器具，電子応用機械器具及びその部品」について登録を取り消す、審判費用は被請求人の負担とするとの審決を求め、その理由を次のように述べ、証拠方法として甲第１号証及び甲第２号証を提出した。
　本件商標は、継続して３年以上、日本国内において、被請求人、専用使用権者又は通常使用権者のいずれによっても、請求の趣旨に記載の指定商品について使用された事実がない。
　したがって、本件商標は、商標法第５０条第１項の規定に基づいて、請求の趣旨に記載の指定商品について、その登録を取り消されるべきものである。
　なお、請求人は被請求人の答弁書に対して何ら弁駁していない。
　　
３　被請求人の主張
　被請求人は、結論と同旨の審決を求めると答弁し、その理由を要旨次のように述べ、証拠方法として乙第１号証ないし乙第１０号証を提出した。
（１）本件商標についての通常使用権者は、本件商標と社会通念上同一と認められる商標を、取消しに係る指定商品について、本件審判の請求の登録前３年以内に日本国内において使用している。
（２）本件商標の通常使用権者
　本件商標と実質的に同一の商標が、被請求人から通常使用権の許諾を受けた（乙第１号証）香川県高松市国分寺町新名６９４番地１所在の株式会社イマージュによって使用され今日に至っている。
（３）本件商標と社会通念上同一と認められる商標の使用
ア　本件商標が使用されている商品の実物の写真では、携帯電話機用ストラップの花型の鏡の裏面に「ＩＭＡＧＥ」の文字が表示されている（乙第２号証ないし乙第７号証）。
イ　株式会社イマージュ発行の通信販売用カタログ雑誌「ＩＭＡＧＥ　ＣＯＬＬＥＣＴＩＯＮ　ＳＵＭＭＥＲ２０１０　Ｖｏｌ．６７」には、乙第２号証ないし乙第７号証の写真に示す商品「携帯電話機用ストラップ」が掲載されており、カタログ雑誌中に「チャーム付き携帯ストラップ　￥３，９８０」と明示されているように、この商品が実際に販売されていたことが分かる（乙第８号証）。
ウ　上記商品に表示された「ＩＭＡＧＥ」は、本件商標と同一の称呼及び観念を生ずる商標に該当するから、少なくとも社会通念上同一と認められるものである。
（４）取消しに係る指定商品についての使用
　上記使用商標「ＩＭＡＧＥ」を表示した商品は、乙第２号証ないし乙第８号証から明らかなように、「携帯電話機用ストラップ」であり、特許庁ホームページ内の「商品・役務リスト」には、「携帯電話機用ストラップ」は第９類の「電気通信機械器具（類似群コード：１１Ｂ０１）」に含まれていることが明示されている（乙第９号証）。
　よって、上記使用商標「ＩＭＡＧＥ」の使用は、本件商標の指定商品「電気通信機械器具」についての使用であることは明らかである。
（５）通常使用権者による使用
　乙第８号証の通信販売用カタログ雑誌「ＩＭＡＧＥ　ＣＯＬＬＥＣＴＩＯＮ　ＳＵＭＭＥＲ２０１０　Ｖｏｌ．６７」の裏表紙には、発行者として「（株）イマージュ」「神戸市中央区東川崎町１−３−３（神戸ハーバーランドセンタービル７Ｆ）」の表示がある。
　株式会社イマージュのホームページ（乙第１０号証）によると、同社の本社住所は「香川県高松市国分寺町新名６９４番地１」、神戸オフィスの住所は「神戸市中央区東川崎町１丁目３番３号　神戸ハーバーランドセンタービル７階」と掲載されていることから、乙第１号証の契約書において通常使用権の許諾を受けている株式会社イマージュと、上記使用商標の使用者が同一人であることが分かる。
（６）本件審判の請求の登録前３年以内の使用
　乙第８号証の通信販売用カタログ雑誌には、表紙右上に「ＳＵＭＭＥＲ２０１０」と、表紙左下に「カタログ有効期限　２０１０年９月２０日まで」と表示されている。本件審判の請求の登録日は２０１１年９月６日（審決注：「２日」との記載は誤記と判断した。）であり、本件商標と実質的に同一と認められる商標を付した携帯電話機用ストラップが当該通信販売用カタログ雑誌に掲載、販売されていた時期が、「請求の登録前３年以内」に含まれることは明白である。
（７）結論
　以上により、本件商標についての通常使用権者が、本件審判の請求に係る商品中「携帯電話機用ストラップ」について、本件商標と社会通念上同一と認められる商標を、本件審判の請求の登録前３年以内に日本国内において使用していた事実が明らかとなった。
　　　
４　当審の判断
（１）被請求人提出の証拠によれば、以下の事実が認められる。
ア　商標権者は、香川県高松市国分寺町新名６９４番地１の株式会社イマージュ（以下「イマージュ」という。）との間で、２０１０年３月３０日に、本件商標を「携帯電話機用ストラップ」について、日本国全域において２０１０年３月１日から２年間通常使用権を許諾する契約を締結した（乙第１号証）。
イ　通信販売用カタログ雑誌「ＩＭＡＧＥ　ＣＯＬＬＥＣＴＩＯＮ」の表紙右上には、「ＳＵＭＭＥＲ　２０１０　Ｖｏｌ．６７」の表示があり、また、表紙左下には、「カタログ有効期限　２０１０年９月２０日まで」と表示されている（乙第８号証）。
　２葉目の上段には、「ＩＭＡＧＥ」の表示（「Ｉ」「Ａ」「Ｅ」は赤色、「Ｍ」「Ｇ」は黄色が配色されている。以下「使用商標」という。）があり、また、その中央部分には、「チャーム付き携帯ストラップ」「￥３，９８０」の記載とともに商品の写真が掲載されている。
　３葉目には、左端に「（株）イマージュ」「神戸市中央区東川崎町１−３−３（神戸ハーバーランドセンタービル７Ｆ）」及び電話番号が記載されている。
ウ　イマージュの事業所一覧によれば、本社は「香川県高松市国分寺町新名６９４番地１」、神戸オフィスは「神戸市中央区東川崎町１丁目３番３号　神戸ハーバーランドセンタービル７階」であることが認められる（乙第１０号証）。
（２）判断
ア　乙第８号証のカタログ雑誌は、発行日は明らかではないが当該雑誌に記載された「ＳＵＭＭＥＲ　２０１０」「カタログ有効期限　２０１０年９月２０日まで」の記載から、２０１０年（平成２２年）の夏前から８月にかけて頒布されたものと推認して差し支えない。
　そして、当該時期は本件審判の請求の登録（登録日は平成２３年９月６日）前３年以内である。
イ　本件商標は、上記１のとおり「ＩＭＡＧＥ」の文字からなるものであり、使用商標は、「ＩＭＡＧＥ」の文字からなるものであるから、使用商標は本件商標と社会通念上同一と認められる商標である。
ウ　乙第８号証のカタログに掲載されている「携帯電話機用ストラップ」（以下「使用商品」という。）は、取消請求に係る指定商品中「電気通信機械器具」に属する「電気通信機械器具の部品及び附属品」の範ちゅうに含まれる「携帯電話機用ストラップ」とみることができる。
エ　乙第１号証の一方の契約者（乙）であるイマージュの名称及び同社の神戸オフィスの住所と乙第８号証のカタログの発行者の名称及び住所とが一致すること（上記（１）ア及びイ）から、両者は同一人と認めることができる。
　そうとすれば、本件商標に係る通常使用権者と認められるイマージュ（上記（１）ア）が、当該カタログを発行したというべきである。
オ　上記アないしエからすれば、通常使用権者であるイマージュは本件審判の請求の登録前３年以内にその請求に係る指定商品中「電気通信機械器具」の範ちゅうに属する商品「携帯電話機用ストラップ」についての広告に本件商標と社会通念上同一と認められる商標を付して頒布した（商標法第２条第３項第８号）ものと認めることができる
（３）まとめ
　以上のとおりであるから、被請求人（商標権者）は、本件審判の請求の登録前３年以内に日本国内において商標権者がその請求に係る指定商品の範ちゅうに属する商品について本件商標（社会通念上同一と認められる商標を含む。）の使用をしていることを証明したといわなければならない。
　したがって、本件商標の登録は、請求に係る指定商品について、商標法第５０条の規定により、取り消すべき限りでない。
　よって、結論のとおり審決する。